(57)【特許請求の範囲】
【請求項１】
略平行となる間隔をもって形成された隙間の幅に見合った寸法に凹ませて自在に変形可能な弾発力のある板材で筒状の輪（１）を形成し、前記筒状の輪（１）の一部に連結用のフランジ部（１ｂ）を形成し、該フランジ部（１ｂ）に連結紐（４）または連結留め材（５）のいずれかを設けて成り、前記筒状の輪（１）の側面で前記隙間に差し込まれたシート状物を外れやずれ落ちのないように押さえ込むシート状物保持具（Ｈ）を、前記隙間（２）を形成するスペース枠（８）を設けると共に、該隙間（２）に差し込んだシート状物（ｓ）の端部を突き当てる突き当て材（９）を設けた取付け板（６）の該突き当て材（９）に、前記連結留め材（５）を介して固定した差込み保持型のシート状物保持部材であって、
防滑性と緩衝性のある被覆材（１０ａ）を施した押付け材（１０）を、前記シート状物保持具（Ｈ）の湾曲断面の中間部の、前記スペース枠８に向き合う面側に固着したことを特徴とする差込み保持型のシート状物保持部材（Ｃ）。
【請求項２】
前記シート状物保持具（Ｈ）を複数個備え、
この複数個の前記シート状物保持具（Ｈ）に前記押付け材（１０）を連結させて固着した、
ことを特徴とする請求項１に記載の差込み保持型のシート状物保持部材（Ｃ）。
【請求項３】
前記筒状の輪（１）の外周面に防滑性と緩衝性のある被覆材（１ａ）を施したことを特徴とする請求項１又は請求項２に記載の差込み保持型のシート状保持部材（Ｃ）。
【請求項４】
前記スペース枠（８）における前記シート状物保持具（Ｈ）と向き合う面側に防滑性と緩衝性のある被覆材（８ａ）を施したことを特徴とする請求項３に記載の差込み保持型のシート状物保持部材（Ｃ）。
【請求項５】
支持板または支持フレームに差込み保持型のシート状物保持部材を備えた差込み保持型のシート状物掲示装置であって、
支持板または支持フレーム（６０ｃ）に請求項１乃至請求項４のいずれか一つに記載の差込み保持型のシート状物保持部材（Ｃ）を配設したことを特徴とする差込み保持型のシート状物掲示装置（Ｃ１）。
【請求項６】
略平行となる間隔をもって形成された隙間の幅に見合った寸法に凹ませて自在に変形可能な弾発力のある板材で筒状の輪（１）を形成し、前記筒状の輪（１）の一部に連結用のフランジ部（１ｂ）を形成し、該フランジ部（１ｂ）に連結紐（４）または連結留め材（５）のいずれかを設けて成り、前記筒状の輪（１）の側面で前記隙間に差し込まれたシート状物を外れやずれ落ちのないように押さえ込むシート状物保持具（Ｈ）を、略平行となる間隔をもって形成された隙間（２ａ）を形成するスペース枠（１１）を設け、該スペース枠（１１）には細長切抜き状の溝としての略平行となる間隔をもって形成された溝部（２ｂ）を形成した取付け板（６ａ）の該溝部（２ｂ）に、挿入したことを特徴とする差込み保持型のシート状保持部材（Ｄ）。
【請求項７】
前記筒状の輪（１）の外周面に防滑性と緩衝性のある被覆材（１ａ）を施したことを特徴とする請求項６に記載の差込み保持型のシート状保持部材（Ｄ）。
【請求項８】
前記スペース枠（１１）における前記シート状物保持具（Ｈ）と向き合う面側に防滑性と緩衝性のある被覆材（１１ａ）を施したことを特徴とする請求項７に記載の差込み保持型のシート状物保持部材（Ｄ）。
【請求項９】
支持板または支持フレームに差込み保持型のシート状物保持部材を備えた垂れ幕状シート状物保持装置であって、
支持板または支持フレーム（６０ｅ）に請求項６乃至請求項８のいずれか一つに記載の差込み保持型のシート状物保持部材（Ｄ）を配設したことを特徴とする差込み保持型の垂れ幕状シート状物保持装置（Ｄ１）。
【発明の詳細な説明】
【技術分野】
【０００１】
本発明は、帳票や文書類などのシート状物、および大判の掲示物などの紙シート、および垂れ幕状の薄手のビニールシートや布シートなど、種々の形状寸法のシート状物を保持する差込み保持型のシート状物保持具、およびこれを活用したシート状物保持部材およびシート状物保持装置に関する。
【背景技術】
【０００２】
従来、帳票や文書類などのシート状物を綴じ込み保持する手段として、市販のファイルやバインダーが一般に用いられているが、しかし、これらのファイルやバインダーにおいては、帳票や文書類などをファイルする際に、そのたびに綴じ具を開閉してファイルしなければならないので抜き差しが面倒となる欠点がある。また、これらの帳票や文書類などのシート状物には綴じ込み用の孔がないとファイルができない欠点がある。そのため孔あけできない大事な文書類などにおいてはファイルができない欠点がある。
また、これらのファイルやバインダーにおいては、種々の形状寸法のメモ用紙などのシート状物を簡単に抜き差しできるような綴じ具にはなっていないので、これらのシート状物の手軽な綴じ込みや抜き差しができない欠点がある(例えば特許文献１参照)。
【０００３】
また、これらの帳票や文書類などのページの中間を抜き差しする場合においても、そのたびに綴じ具を開閉し、ファイルしてある帳票や文書類などを一度取り外してから抜き差ししなければならないので、中間ページの抜き差しが面倒となる欠点がある。
また、このファイルやバインダーでの中間ページの帳票や文書類などの抜き差しの際に、その帳票や文書類などを一時的に仮綴じ込みできるような綴じ具にはなっていないので、これらの帳票や文書類などの仮綴じ込みができない欠点がある (例えば特許文献１参照)  
【０００４】
また、帳票や文書類などのシート状物をファイルする手段として、クリップボードや綴じ具やクリップファイルなどが一般に用いられているが、しかし、これらのものでシート状物をファイルする手段においても、前述の綴じ具付のファイルやバインダーと同様に、留め具を開閉して帳票や文書類などを保持しなければならないので抜き差しが面倒となる欠点がある。また、ページの中間の帳票や文書類などを抜き差しする場合においても、同様に中間ページの抜き差しが面倒となる欠点がある。また、同様に帳票や文書類などの抜き差しの際にこれらの帳票や文書類などの仮綴じ込みができない欠点がある。また、綴じ具の線状接触による保持だけでは接触面が小さいのでシート状物が抜け易い欠点がある。そのため、バネ力を強力にすると今度は綴じ具の開閉が容易にできない欠点がある(例えば特許文献２乃至４参照)。
【０００５】
また、図面や掲示帳票類などの大判のシート状物を保持する手段として、用紙支持スタンドなどが提案されているが、例えば現場などで随時差し替えを要する図面や掲示帳票類などを保持する使い方をする場合には、重ね保持した図面や掲示帳票類などの抜き差しが面倒なものとなることや、重ね保持する枚数が限定されることや、現場などでの随時差し替えの使用用途に対して必要以上に構造が複雑でコストも高いものになっていることなどの欠点がある(例えば特許文献５参照)。
【０００６】
また、クロスなどのシート状物を張設する手段として仕切り装置が提案されているが、これらの仕切り装置においては、例えば現場などで埃や塗料などで汚れた使い捨ての仕切りシートを随時差し替え保持する使い方をする場合には、差し替え張設が面倒なものとなることや、また、現場などでの随時差し替えの使用用途に対して必要以上に構造が複雑でコストも高いものになっていることなどの欠点がある(例えば特許文献６乃至７参照)。
【０００７】
また、メモ用紙等を簡単に保持する手段としてペーパークリップが提案されているが、しかし、吊り下げ保持するシートの枚数や形状寸法が限定されるので、帳票や文書類などのシート状物や大判の図面などのシート状物を多数枚重ね保持する使い方ができない欠点がある(例えば特許文献８参照)。
【０００８】
また、店内やオフィスなどでポスターやメモなどの掲示物を差し込むだけのワンタッチで吊り下げ保持できる保持具として図２２に示すような商品（商品名サインクリップ）が市販されているが、しかし、該商品においては吊り下げ保持するシートの枚数や形状寸法が限定されるので、帳票や文書類などのシート状物や大判の図面などのシート状物を多数枚重ね保持する使い方ができない欠点がある。
【０００９】
また、本発明の差込み保持型のシート状物保持具に準じた手段として、一般的な楔状のものを用いて隙間などに差込むことによってシート状物を保持することも可能ではあるが、しかし、これらの一般的な楔においては、例えばドアーのストパー用楔ようにテーパーの断面形状や寸法が固体で固定化されており、差込みする隙間の幅寸法に見合った寸法に断面寸法が自在に変形することや、差し込んだシート状物を反発復元力により押さえ込むことができないので、楔の形状や寸法によって差込み保持ができる隙間やシート状物の厚みや枚数が限定される欠点がある。
【００１０】
また、楔のテーパー部の線状接触による保持だけでは接触面が小さいので差し込まれた楔およびシート状物が抜け易い欠点がある。そのため、抜け難くするために無理に差し込むことや、または、楔のテーパー部に返しの細工などをすると今度は差し込まれた楔およびシート状物が容易に抜けなくなるなどの欠点が生ずる。
【００１１】
【特許文献１】特開２００４−３２２６３１
【特許文献２】特開２００７−９０８１９
【特許文献３】特開２００１−１９１６７４
【特許文献４】特開２００５−４１００７
【特許文献５】特開平１０−１５７３８９
【特許文献６】特開２００７−１２６８７３
【特許文献７】特開平９−２８７２２４
【特許文献８】特開２０００−２４７０８０
【発明の開示】
【発明が解決しようとする課題】
【００１２】
上述したような種々の欠点を解消するために、本発明の差込み保持型のシート状物保持具および該シート状物保持具を基本部材として活用した本発明のシート状物保持部材および該シート状物保持部材を基本構成材として活用し構成した本発明のシート状物保持装置を設ける。そして、本発明のシート状物保持部材およびシート状物保持装置に形成した隙間に差し込んだシート状物を本発明の差込み保持型のシート状物保持具で押さえ込むことによって、帳票や文書類などのシート状物や、掲示物などの大判の紙シート状物や、垂れ幕状の薄手のビニールシートや布シートなどの種々の形状寸法のシート状物を外れやずれ落ちしないように差込み保持ができるようにする。
【００１３】
そして、前記の本発明のシート状物保持装置を活用することにより、例えば従来のファイルやバインダーのようなシート状物保持用具などにおいての欠点を解消するために、いちいち留め具を開閉してシート状物を保持することなく、帳票状のシート状物を隙間に差し込むと共に前記シート状物保持具で押さえ込むだけで、簡単に且つ的確にこれらのシート状物の差込み保持ができるようにする。
また、例えば従来の用紙支持スタンドや仕切り装置のようなシート状物保持用具などにおいての欠点を解消するために、現場等で随時差し替えを要する大判のシート状物や垂れ幕状のシート状物などを隙間に差し込むと共に前記シート状物保持具で押さえ込むだけで、簡単に且つ的確にこれらのシート状物の差込み保持ができるようにする。
そして、これらにより前述の背景技術の項に記述した種々の欠点を解消できるようにする。
【課題を解決するための手段】
【００１４】
上述した種々の欠点を解消するための手段として、先ず、図１に示すような本発明のシート状物保持具Ｈを構成する。
そして、このシート状物保持具Ｈを基本部材として活用して、図４、図８、図１３、図１７に示すような本発明のシート状物保持部材Ａ乃至Ｄを構成する。
そして、このシート状物保持部材Ａ乃至Ｄを基本構成材として活用して、図５、図９、図１０、図１４、図１８に示すような本発明のシート状物保持装置Ａ１乃至Ｄ１を構成するものとしている。
そして、この本発明のシート状物保持装置Ａ１乃至Ｄ１を後述の第１の活用例から第５の活用例のように活用することにより、前述の背景技術の項に記述した種々の欠点を解消するものとしている。
【００１５】
そして、先ず、本発明のシート状物保持具Ｈの構成については、図１に示すように、シート状物を隙間に差し込んで保持するためのシート状物保持具であって、略平行となる間隔をもって形成された隙間の幅に見合った寸法に凹ませて自在に変形可能な弾発性のある板材で筒状の輪１を形成し、筒状の輪１の一部に連結用のフランジ部１ｂを形成し、フランジ部１ｂに連結紐４または連結留め材５のいずれかを設けて成り、筒状の輪１の側面で隙間に差し込まれたシート状物を外れやずれ落ちのないように保持する。そして、筒状の輪１の外周面に防滑性と緩衝性のある被覆材１ａを施す。そして、これらにより、本発明のシート状物保持具Ｈを構成するものとしている。
【００１６】
そして、前記の第１の活用例による解決手段として、本発明のシート状物保持具Ｈの活用により、図４に示すような差込み保持型のシート状物保持部材Ａを基本構成材として構成し、そして、図５に示すような垂れ幕状シート状物保持装置Ａ１を構成するものとしている。
そして、この垂れ幕状シート状物保持装置Ａ１の構成の手段として、先ず図２から図４に示すように、取付け板６に隙間２を形成するスペース枠８を設ける。そして、連結紐４を介して隙間２に前記のシート状物保持具Ｈを挿入する。ここで、スペース枠８はシート状物保持具Ｈと向かい合う面側に被覆材８ａを施す。そして、これにより図４に示すようなシート状物保持部材Ａを構成するものとしている。
【００１７】
そして、このシート状物保持部材Ａを図５に示すように基本構成材として活用して支持フレーム６０ｄに上下に２段配設することによって、本発明の垂れ幕状シート状物保持装置Ａ１を構成するものとしている。
そして、このシート状物保持装置Ａ１を第１の活用例として活用することにより、垂れ幕状の大判の紙シート状物や、薄手のビニールシートや、布シートなどの種々の形状寸法のシート状物を保持するものとしている。
【００１８】
そして次ぎに、前記の第２および第３の活用例による解決手段として、本発明のシート状物保持具Ｈの活用により、図８に示すような本発明の差込み保持型のシート状物保持部材Ｂを基本構成材として活用して図９に示すようなバインダーＢ１および図１０に示すような書類綴じ込みボードＢ２を構成するものとしている。
そして、その手段として、図６から図８に示すように、前記取付け板６に隙間２を形成するスペース枠８を設けると共に、前記隙間２に差し込んだシート状物ｓの端部を突き当てる突き当て材９を設ける。そして、該突き当て材９に前記連結留め材５を介して前記のシート状物保持具Ｈを固定する。ここで、スペース枠８はシート状物保持具Ｈと向かい合う面側に被覆材８ａを施す。そして、これにより図８に示すような差込み保持型のシート状物保持部材Ｂを構成するものとしている。
【００１９】
そして、この差込み保持型のシート状物保持部材Ｂを図９に示すように基本構成材として活用して見開き型の表紙板６０ａに備えることによって、本発明のバインダーＢ１を構成するものとしている。
また、図１０に示すように書類綴じ込みボード６０ｂに備えることによって、本発明の書類綴じ込みボードＢ２を構成するものとしている。
そして、このシート状物保持装置Ｂ１およびＢ２を第２および第３の活用例として活用することにより、帳票や文書類などのシート状物の綴じ込み保持における従来の種々の欠点を解消するものとしている。
【００２０】
そして次ぎに、前記の第４の活用例による解決手段として、本発明のシート状物保持具Ｈの活用により、図１３に示すような差込み保持型のシート状物保持部材Ｃを基本構成材として活用して、図１４に示すような本発明の差込み保持型のシート状物掲示装置Ｃ１を構成するものとしている。
そして、その手段として、先ず図１１から図１３に示すように、前記のシート状物保持部材Ｂを基にして、シート状物保持具Ｈの湾曲断面の中間部の前記スペース枠８と向き合う面側に押付け材１０を固着し、且つ該押付け材１０の前記スペース枠８と向き合う面側に防滑性と緩衝性のある被覆材１０ａを施す。そして、これらにより図１３に示すようなシート状物保持部材Ｃを構成するものとしている。
【００２１】
そして、このシート状物保持部材Ｃを図１４に示すように基本構成材として活用して支持フレーム６０ｃに上下に２段配設することにより、本発明の差込み保持型のシート状物掲示装置Ｃ１を構成するものとしている。
そして、このシート状物保持装置Ｃ１を第４の活用例として活用することにより、大判掲示物などの差込み保持における従来の種々の欠点を解消するものとしている。
【００２２】
そして次ぎに、前記の第５の活用例による解決手段として、本発明のシート状物保持具Ｈの活用により、図１７に示す差込み保持型のシート状物保持部材Ｄを基本構成材として活用して、図１８に示すような垂れ幕状シート状物保持装置Ｄ１を構成するものとしている。
そして、その手段として、図１５から図１７に示すように、取付け板６ａに、略平行となる間隔をもって形成された隙間２ａを形成するスペース枠１１を設け、該スペース枠１１には細長切抜き状の溝としての略平行となる間隔をもって形成された溝部２ｂを形成する。そして、連結紐４を介して溝部２ｂに前記のシート状物保持具Ｈを挿入する。ここで、スペース枠１１は溝部２ｂのシート状物保持具Ｈと向かい合う面側に被覆材１１ａを施す。そして、これらにより図１７に示すようなシート状物保持部材Ｄを構成するものとしている。
【００２３】
そして、このシート状物保持部材Ｄを図１８に示すように基本構成材として活用して支持フレーム６０ｅに上下に複数段配設することにより、本発明の垂れ幕状シート状物保持装置Ｄ１を構成するものとしている。
そして、このシート状物保持装置Ｄ１を第５の活用例として活用することにより、垂れ幕状の大判の紙シート状物や、薄手のビニールシートや、布シートなどの種々の形状寸法のシート状物保持における従来の種々の欠点を解消するものとしている。
【発明の効果】
【００２４】
本発明のシート状物保持具Ｈにおける効果として、次ぎのような効果が挙げられる。
先ず、本発明のシート状物保持具Ｈは、図１に示すように、弾発力のある板材で筒状の輪１を形成していることにより、シート状物保持具Ｈの湾曲部を指先で自在に凹ませ、隙間に差し込んだシート状物をシート状物保持具Ｈの反発復元力により押さえ込むだけで種々の形状寸法のシート状物を外れやずれ落ちしないように容易に差込み保持ができる。
また、シート状物保持具Ｈは、筒状の輪１の外周面に防滑性と緩衝性のある被覆材１ａを施していることにより、隙間に差し込まれたシート状物の表面を傷めることなく且つ外れやずれを生ずることなく保持することができる。
また、シート状物保持具Ｈを連結紐４および連結留め材５で連結することにより、所定の位置で且つ紛失することなくシート状物を保持することができる。
【００２５】
そして、本発明のシート状物保持具Ｈは、図１９および図２０および図２１に示すように、シート状物保持具Ｈの湾曲部を指先で自在に凹ませ、隙間に差し込んだシート状物をシート状物保持具Ｈの反発復元力により押さえ込むだけで、綴じ込み用の孔をあけることや、綴じ込みや抜き差しの際の留め具の開閉などをすることなく、シート状物の綴じ込み保持が簡単にできる。
また、中間ページの抜き差しや、その抜き差しの際の仮綴じ込みが簡単にできる。
また、シート状物保持具Ｈがシート状物の厚みに対応して凹み、膨らみの反発復元と面状接触の側圧により保持することにより、１枚から数十枚のシート状物の綴じ込み保持が簡単且つ的確にできる。
【００２６】
また、このシート状物保持具Ｈを基本部材として活用して、図４、図８、図１３、図１７に示すような本発明のシート状物保持部材Ａ乃至Ｄを簡単に構成することができる。
そして、このシート状物保持部材Ａ乃至Ｄを基本構成材として活用して、図５、図９、図１０、図１４、図１８に示すよう本発明のシート状物保持装置Ａ１乃至Ｄ１を簡単に構成することができる。
そして、このシート状物保持装置Ａ１乃至Ｄ１を後述の第１の活用例から第５の活用例のように構成し活用することにより、帳票や文書類などのシート状物や、掲示物などの大判の紙シート状物や、垂れ幕状の薄手のビニールシートや布シートなどの種々の形状寸法のシート状物を外れやずれ落ちしないように差込み保持ができるようにする。
そして、これらにより、前述の背景技術の項に記述した種々の欠点を解消するものとしている。
【００２７】
次ぎに、前記の本発明のシート状物保持装置の第１の活用例としての垂れ幕状シート状物保持装置Ａ１における効果として、次ぎのような効果が得られる。
図２から図４に示すような本発明の差込み保持型のシート状物保持部材Ａを図５に示すように、シート状物保持装置Ａ１の基本構成材として活用して支持フレーム６０ｄに上下に２段配設するだけの簡単な構造で、本発明の垂れ幕状シート状物保持装置Ａ１を構成することができる。
【００２８】
そして、この本発明の垂れ幕状シート状物保持装置Ａ１を活用して、垂れ幕状のシート状物ｓｂを隙間２に差し込むと共にシート状物保持具Ｈで押さえ込むだけの簡単保持によって、垂れ幕状のシート状物ｓｂの張設や取替えが簡単にできる。
そして、例えば塗装現場などで飛散した塗料で汚れた使い捨ての垂れ幕状の覆いシートなどを汚れるたびごとに随時取り替えする使い方をする場合にこれらのシートの取替えが簡単にできる。
そして、従来の仕切り装置である特許文献６の間仕切り装置や、特許文献７の仕切り装置などにおいての、取替えが面倒であり、また、現場などでの随時取替えの使用用途に対して必要以上に構造が複雑でコストも高いものになっていることなどの欠点を解消することができる。
【００２９】
また、例えば塗装作業の現場で飛散した塗料が付近の物品などに付着しないようにするために、大判の紙シートや薄手のビニールシートなどの使い捨てのシート状物を用いて覆いや遮蔽の張り付けをする際に、粘着テープによる貼り付けや剥がしが面倒であることや、製品などに貼り跡が付くことなどの欠点を解消することができる。また、従来のクリップ留めやハトメ孔留めなどによる手間や紛失などの欠点を解消することができる。
【００３０】
次ぎに、本発明のシート状物保持装置の第２の活用例としての本発明の差込み保持型のバインダーＢ１における効果として、次ぎのような効果が得られる。
図８に示すように、前述の第１の活用例におけるシート状物保持部材Ａに突き当て材９を設け、そして、該突き当て材９に前記連結留め材５を介して前記のシート状物保持具Ｈを固定するだけの簡単構造で本発明のシート状物保持部材Ｂを構成することができる。
そして、図９に示すように、このシート状物保持部材Ｂを基本構成材として活用して、開閉可能な見開き型の表紙６０ａに固着するだけの簡単構造で本発明の差込み保持型のバインダーＢ１を構成することができる。
【００３１】
そして、この差込み保持型のバインダーＢ１においては、図７および図１９および図２０に示すような差込み要領により、隙間２にシート状物ｓを直接差し込むだけで、または、指先を添えて差し込むだけで綴じ込み保持が簡単にできるので、これにより、従来のファイルやバインダーなどの欠点であるところの、綴じ込み用の孔をあけなければならないことや、綴じ込み用の孔跡が付くことや、綴じ込みや抜き差しの際の留め具の開閉が面倒であることなどの欠点を容易に解消できる。
また、種々の形状寸法のメモ用紙などの手軽な綴じ込みや抜き差しが簡単にできる便利なメモ用紙保持用具などとして利用できる。
【００３２】
また、図１９および図２０に示すような差込み要領により、帳票や文書類などのシート状物ｓの抜き差しが簡単にできるので、これにより、従来のファイルやバインダーなどの欠点である綴じ込みの際のシート状物の抜き差しおよび綴じ込み具の開閉が面倒であることの欠点を容易に解消することができる。
また、中間ページの抜き差しが面倒であることの欠点を容易に解消することができる。
また、抜き差しの際に抜き差し物の仮綴じ込みができないことなどの欠点を容易に解消することができる。
【００３３】
次ぎに、本発明のシート状物保持装置の第３の活用例としての差込み型の書類綴じ込みボードＢ２における効果として、次ぎのような効果が得られる。
図１０に示すように、シート状物保持部材Ｂを基本構成材として、書類綴じ込み用のボード６０ｂに固着するだけの簡単構造で、本発明の差込み保持型の書類綴じ込みボードＢ２を構成することができる。
そして、この本発明の差込み型の書類綴じ込みボードＢ２を前記のバインダーＢ１に準じて活用することにより、従来のクリップボードやクリップファイルなどにおいて、前記のバインダーＢ１に準じた欠点を容易に解消することができる。
【００３４】
また、従来のクリップボードやクリップファイルなどにおいては、厚みのあるシート状物を保持する際などに綴じ具の線状接触による保持だけでは接触面が小さいのでシート状物が抜け易い欠点があり、そのため、バネ力を強力にすると今度は綴じ具の開閉が容易にできない欠点があったが、図７に示すように、シート状物保持具Ｈがシート状物の厚みに対応して凹み、膨らみの反発復元と面状接触の側圧により保持するので、１枚から多数枚までのシート状物の綴じ込み保持が簡単且つ的確にできる。
【００３５】
次ぎに、本発明のシート状物保持装置の第４の活用例としての差込み保持型のシート状物掲示装置Ｃ１における効果として、次ぎのような効果が得られる。
図１４に示すように、シート状物保持部材Ｃを基本構成材として活用して、支持フレーム６０ｃに上下に２段配設するだけの簡単構造で本発明の差込み保持型のシート状物掲示装置Ｃ１を構成することができる。
そして、シート状物ｓａを差し込む際には、図１２および図１３に示すように複数のシート状物保持具Ｈが押付け材１０に連結されているので、図２１に示すように押付け材１０を指先で押すと一度の押付けで複数のシート状物保持具Ｈが同時に押付けられた状態で図１３および図１４に示すように長さの長い差込み空隙間ができる。そして、これにより大判掲示物の差込み保持が容易にできる。
【００３６】
また、従来の図面などを保持する特許文献５の用紙支持スタンドなどにおいての、重ね保持する枚数が限定されることや、重ね保持した図面やメモ類などの抜き差しが面倒であることや、例えば現場などでの随時差し替えの使用用途に対して必要以上に構造が複雑でコストも高くなっていることなどの欠点を解消することができる。
【００３７】
また、従来の掲示板の欠点であるところの、粘着テープによる貼り付けや剥しが面倒であることや、貼り跡が付くことや、シート状物の形状寸法や枚数が限定されることなどの欠点が解消できる。また、マグネット付けによる吸着箇所の限定や、シート状物の形状寸法や枚数の限定などの欠点を容易に解消することができる。
【００３８】
次ぎに、本発明のシート状物保持装置の第５の活用例としての差込み保持型の垂れ幕状シート状物保持装置Ｄ１における効果として、次ぎのような効果が得られる。
図１８に示すように、シート状物保持部材Ｄを基本構成材として活用して、支持フレーム６０ｅに上下に複数段配設するだけの簡単構造で垂れ幕状シート状物保持装置Ｄ１を構成することができる。
【００３９】
そして、図１８に示すように本発明の垂れ幕状シート状物保持装置Ｄ１においては、図１７に示すような本発明の差込み保持型のシート状物保持部材Ｄを適宜複数段配設し、シート状物保持具Ｈを中間部で正面側から差し込むことによって、長尺の垂れ幕状シート状物ｓｂにおいても弛みを生ずること無くピシッと張ることができる。
また、図５に示す本発明の垂れ幕状シート状物保持装置Ａ１に準じた張り方で張ることもできる。
【００４０】
また、この本発明の垂れ幕状シート状物保持装置Ｄ１により、前述の本発明の垂れ幕状シート状物保持装置Ａ１に準じて、例えば塗装現場などで飛散した塗料で汚れた使い捨ての垂れ幕状の覆いシートなどを汚れるたびごとに随時取り替えする使い方をする場合にこれらのシートの取替え保持が簡単にできる。
そして、従来の仕切り装置である特許文献６の間仕切り装置や、特許文献７の仕切り装置などにおいての、差し替え保持が面倒であり、また、例えば現場などでの使用用途に対して必要以上に構造が複雑でコストも高いものになっていることなどの欠点を解消することができる。
【００４１】
また、上述のシート状物保持装置Ａ１乃至Ｄ１における第１から第５の活用例のほかに、本発明のシート状物保持部材Ａ乃至Ｄを単独にシート状物保持装置として活用して、適宜適当な場所に着脱容易に取り付けすることによって、適宜必要な場所で種々のシート状物を簡単に保持する簡単で便利なシート状物保持部材として活用することができる。
【発明を実施するための最良の形態】
【００４２】
先ず、本発明のシート状物保持具Ｈの形態について、図に基づいて説明する。
本発明のシート状物保持具Ｈは、図１に示すように、シート状物を隙間に差し込んで保持するためのシート状物保持具であって、略平行となる間隔をもって形成された隙間の幅に見合った寸法に凹ませて自在に変形可能な弾発力のある板材で筒状の輪１を形成し、筒状の輪１の一部に連結用のフランジ部１ｂを形成し、フランジ部１ｂに連結紐４または連結留め材５のいずれかを設けて成り、筒状の輪１の側面で隙間に差し込まれたシート状物を外れやずれ落ちのないように保持する。
そして、筒状の輪１の外周面に防滑性と緩衝性のある被覆材１ａを施す。そして、これらにより、本発明のシート状物保持具Ｈを構成するものとしている。
【００４３】
そして、該シート状物保持具Ｈは、変形自在な弾発力のある板材で湾曲状に形成されており、指先で軽く押すだけで湾曲部が扁平状に最小５ミリほどの厚さまで自在に凹み調整ができるので、その反発復元力と被覆材１ａを施した扁平状の面状接触面の押さえ付けにより、隙間２または溝部２ｂに差し込まれたシート状物の厚みに対応して１枚から数十枚のシート状物を外れやずれ落ちのないように的確に押さえ込むことができるものとしている。
【００４４】
そして、これらにより、該シート状物保持具Ｈは、図３や図７や図１２に示すように、シート状物を隙間２に差し込むと共に該シート状物保持具Ｈで押さえ込むことにより、垂れ幕状シート状物や帳票や文書類や大判掲示物などのシート状物の厚さに対応して簡単に且つ的確に差込み保持ができるものとしている。
また、図１６に示すように、溝部２ｂに正面から垂れ幕状シート状物を当てると共に本発明のシート状物保持具Ｈで押さえ込むことにより、垂れ幕状シート状物を簡単に且つ的確に差込み保持ができるものとしている。
【００４５】
また、該シート状物保持具Ｈは、変形自在な弾発力のある板材で湾曲状に形成され変形自在に凹んで折り曲げ変形ができるので、図１９に示すように、帳票や文書類などのシート状物ｓの中間ページを捲り上げ、該捲り上げ部の折返し部に指先を当てスペース枠８を支点としてモーメント作用で捲り上げることにより、該シート状物保持具Ｈの変形自在な凹みによる差込み空間が容易にできる。そして、この差込み空間部に帳票や文書類などのシート状物ｓを差し込むことにより、該シート状物ｓの中間ページの差し込みまたは引き抜きが簡単にできる。そして、捲り上げた親指を離すと、綴じ込み保持された帳票や文書類などのシート状物ｓを弾発力により自動的に押付け保持するものとしている。
【００４６】
また、該シート状物保持具Ｈは、変形自在な弾発力のある板材で湾曲状に形成されているので、図２０に示すように、シート状物保持具Ｈのフランジ寄りの湾曲断面部を指先で押付け凹ませることにより、スペース枠８との間に差込み空間が容易にできる。
そして、この差込み空間部に帳票や文書類などの仮綴じ込みのシート状物ｓａを差し込むことにより、該仮綴じ込みのシート状物ｓａの差し込みまたは引き抜きが簡単にできる。
そして、シート状物保持具Ｈの押付け部の指を離すと差し込み保持されたシート状物を反発力により自動的に押付け保持するものとしている。
そして、これにより、図２０および図７から図１０に示すように、シート状物ｓやｓａを孔あけすることなく差し込むだけで、綴じ込みおよび仮綴じ込みおよびその抜き取りなどが簡単にできるものとしている。また、この差込み空間部に帳票や文書類などの仮綴じ込みのシート状物ｓａを差し込むことにより、前記シート状物保持具Ｈの反発力と両面の面状接触により、下面の綴じ込みと上面の仮綴じ込みの両面綴じ込みおよびその抜き差しが簡単にできるものとしている。
【００４７】
また、該シート状物保持具Ｈは、変形自在な弾発力のある板材で湾曲状に形成されているので、図２１に示すように、シート状物保持具Ｈのフランジ寄りの押付け材１０を指先で押付け凹ませることにより、押付け材１０に連結固着されている複数のシート状物保持具Ｈが同時に凹んでスペース枠８との間に長さの長い差込み空間が容易にできる。
そして、この差込み空間部に掲示用の大判のシート状物ｓｃを差し込むだけで綴じ込みおよびその抜き差しが簡単にできるものとしている。
そして、押付け材１０の押付け部の指を離すと差し込み保持された前記シート状物ｓｃを反発力により自動的に押付け保持するものとしている。
そして、これにより、図２１および図１１から図１４に示すように、前記掲示用の大判のシート状物ｓｃを孔あけすることなく差し込むだけで、綴じ込みおよびその抜き取りなどが簡単にできるものとしている。
【００４８】
ここで、筒状の輪１の板材の材質は特に限定されるものではないが、樹脂製のものは、弾発力のあるそして熱可塑性樹脂の代表的な樹脂材であるポリエチレンやポリプロピレンや塩化ビニル樹脂などが考えられる。また、金属製のものは、弾発力のあるステンレス材などが好ましい。
【００４９】
また、筒状の輪１のサイズは、特に限定されるものではないが、例えば本発明の活用例における標準的なサイズの一つとしては、手元フランジ部から先端部の縦方向の寸法は８０ミリほどで、幅寸法は５０ミリほどで、湾曲断面の膨らみ間の寸法は５０ミリほどのものが好ましい。
【００５０】
また、筒状の輪１の外周面に施した防滑性と緩衝性のある被覆材１ａについても特に限定はないが、滑り難い表面粗度をもち且つシート状物に傷が付かないクッション性のあるものが好ましく、例えばポリエチレンの不織布またはポリウレタンなどの樹脂材やゴム材のコーティングなどが挙げられる。そして、着色やデザイン付きのものが考えられる。
【００５１】
以上により本発明のシート状物保持具Ｈの形態について説明したが、次ぎに、上述の本発明のシート状物保持具Ｈを基本部品として活用して構成した本発明の差込み保持型のシート状物保持部材Ａ乃至Ｄ、および、該シート状物保持部材Ａ乃至Ｄを基本構成材として活用して構成した本発明のシート状物保持装置のＡ１乃至Ｄ１の形態について（その１）から（その９）により説明する。
（その１）・本発明の差込み保持型のシート状物保持部材Ａについて説明する。
（その２）・本発明の第１の活用例としての垂れ幕状のシート状物保持装置Ａ１について              説明する。
（その３）・本発明の差込み保持型のシート状物保持部材Ｂについて説明する。
（その４）・本発明の第２の活用例としてのバインダーＢ１について説明する。
（その５）・本発明の第３の活用例としての書類綴じ込みボードＢ２について説明する。
（その６）・本発明の差込み保持型のシート状物保持部材Ｃについて説明する。
（その７）・本発明の第４の活用例としてのシート状物掲示装置Ｃ１について説明する。
（その８）・本発明の差込み保持型のシート状物保持部材Ｄについて説明する。
（その９）・本発明の第５の活用例としての垂れ幕状のシート状物保持装置Ｄ１について              説明する。
【００５２】
先ず、前記の（その１）の本発明の差込み保持型のシート状物保持部材Ａについて説明する。
図２から図４に示すように、取付け板６に略平行となる間隔をもって形成された隙間２を形成するスペース枠８を設ける。ここで該スペース枠８はシート状物保持具Ｈと向かい合う面側に被覆材８ａを施したものとしている。そして、連結紐４を介して前記の隙間２に前記のシート状物保持具Ｈを挿入する。
これにより、図４に示す差込み保持型のシート状物保持部材Ａを垂れ幕状シート状物保持装置Ａ１の基本構成材として構成するものとしている。
【００５３】
そして、図２から図３に示すように、シート状物保持具Ｈは、前記隙間２に差し込んだ垂れ幕状のシート状物ｓｂを前記シート状物保持具Ｈの湾曲形状による弾発力と防滑性と緩衝性のある被覆材１ａとにより、面状接触の側圧力による押さえ込みで差込保持が簡単に且つ的確にできるようにしている。
そして、この状態において、図３から図５に示すように、スペース枠８に被せ掛け折返しした垂れ幕状のシート状物ｓｂを折り返し角部８ｂで引っ掛け保持した状態で折り返し部に食い込むように突っ張らせることにより、前記シート状物保持具Ｈの面状接触部の押さえ込みと角部の引っ掛け食い込みとの相乗効果が働いて外れやずれ落ちのないように的確に保持することができるようにしている。
【００５４】
ここで、取付け板６およびスペース枠８の材質は、樹脂製または金属製のものが好ましい。また、取付け板６の寸法は、特に限定するものではないが、例えば板幅が５０ミリほど、板厚が１０ミリほどで、長さはシート状物に見合った寸法とする。
また、スペース枠８の寸法は特に限定されるものではないが、例えば幅が１５ミリほど、板厚が１０ミリほど、隙間２の寸法を１５ミリほどとし、長さ寸法を差込み保持するシート状物の寸法に見合った寸法とする。また、スペース枠８に施した被覆材８ａは、前記筒状の輪１の外周面に施した防滑性と緩衝性のある被覆材１ａに準じたものする。
そして、これらにより、図４に示すような差込み保持型のシート状物保持部材Ａを本発明の垂れ幕状シート状物保持装置Ａ１の基本構成材として構成するものとしている。
【００５５】
次ぎに、（その２）の本発明の第１の活用例としての垂れ幕状シート状物保持装置Ａ１について図に基づいて説明する。
本発明の垂れ幕状シート状物保持装置Ａ１は、図５に示すように、本発明の差込み保持型のシート状物保持部材Ａを基本構成材として活用し、支持フレーム６０ｄに上下に２段配設したことにより垂れ幕状シート状物保持装置Ａ１を構成するものが好ましい。
【００５６】
そして、支持フレーム６０ｄは、特に限定するものではないが、金属製や樹脂製や木製のもので、且つ保持するシート状物のサイズに見合った形状寸法のもので、例えば３０ミリから５０ミリほどの角型断面材で構成するものが好ましい。そして、本発明の差込み保持型のシート状物保持部材Ａの取り付けは、ビスなどにより所定の位置に着脱容易に取り付けできるものが好ましい。
【００５７】
次ぎに、（その３）の本発明の差込み保持型のシート状物保持部材Ｂについて図に基づいて説明する。
図６から図７に示すように、取付け板６に隙間２を形成するスペース枠８を設ける。ここで該スペース枠８がシート状物保持具Ｈと向かい合う面側に被覆材８ａを施す。また、取付け板６の上部に突き当て材９を設ける。そして、該突き当て材９に前記連結留め材５を介して結合したシート状物保持具Ｈを備える。
そして、これらにより、図８に示すような差込み保持型のシート状物保持部材Ｂを本発明のシート状物保持装置の基本構成材として構成するものとしている。
【００５８】
ここで、取付け板６およびスペース枠８および突き当て材９の材質は、樹脂製または金属製のものが好ましい。また、取付け板６の寸法は、特に限定するものではないが、例えば幅５０ミリほど板厚３ミリほどのもので長さはシート状物に見合った寸法とする。また、スペース枠８の寸法は特に限定されるものではないが、例えば幅１５ミリほど厚さ３ミリほどで隙間２の寸法を２０ミリほどとし、長さ寸法を差込み保持するシート状物の寸法に見合った寸法とする。また、スペース枠８に施した被覆材８ａは、前記筒状の輪１の外周面に施した防滑性と緩衝性のある被覆材１ａに準じたものとしている。また、突き当て材９の寸法は、特に限定するものではないが、例えば縦横１５ミリほどで、長さはシート状物に見合った寸法とする。
そして、これらにより、図８に示す差込み保持型のシート状物保持部材Ｂを本発明のシート状物保持装置の第２の活用例としてのバインダーＢ１、および、第３の活用例としての書類綴じ込みボードＢ２の基本構成材として構成するものとしている。
【００５９】
次ぎに、（その４）の本発明の第２の活用例としてのバインダーＢ１について図に基づいて説明する。
図９に示すように、本発明の差込み保持型のシート状物保持部材Ｂを見開き型の表紙板６０ａに基本構成材として備えたことにより、本発明の差込み保持型のバインダーＢ１を構成するものとしている。
【００６０】
そして、見開き型の表紙板６０ａは、特に限定するものではないが、例えば紙製厚板や樹脂製薄板のもので、保持するシートのサイズに見合った形状寸法のものが好ましい。そして見開き型の表紙板６０ａの中央部に表紙開閉用の折り目を設け、その折り目部に添って本発明の差込み保持型のシート状物保持部材Ｂを固着したものが好ましい。
そして、図１９乃至図２０に示すような要領により、帳票や文書類などのシート状物ｓの中間ページの抜き差しおよび綴じ込みおよび仮綴じ込みおよび抜き取りなどが簡単にできるものとしている。また、シート状物ｓおよびｓａを孔あけすることなく差し込むだけで、綴じ込みおよび仮綴じ込みおよび抜き取りなどが簡単にできるものとしている。
【００６１】
次ぎに、（その５）の本発明の第３の活用例としての書類綴じ込みボードＢ２について図に基づいて説明する。
図１０に示すように、本発明の差込み保持型のシート状物保持部材Ｂを書類綴じ込み用のボード６０ｂに基本構成材として備えたことにより、本発明の差込み保持型の書類綴じ込みボードＢ２を構成するものとしている。
そして、書類綴じ込みボード６０ｂは、特に限定するものではないが、例えば紙製厚板や樹脂製薄板のもので、保持するシートのサイズに見合った形状寸法のものが好ましい。そして、書類綴じ込みボード６０ｂの端部に添って本発明の差込み保持型のシート状物保持部材Ｂを固着したものが好ましい。
そして、図１９乃至図２０に示すような要領により、帳票や文書類などのシート状物ｓの中間ページの抜き差しおよび綴じ込みおよび仮綴じ込みおよび抜き取りなどが簡単にできるものとしている。また、シート状物ｓおよびｓａを孔あけすることなく差し込むだけで、綴じ込みおよび仮綴じ込みおよび抜き取りなどが簡単にできるものとしている。
【００６２】
次ぎに、（その６）の本発明の差込み保持型のシート状物保持部材Ｃについて説明する。
図１１から図１３に示すように、前記のシート状物保持部材Ｂを基にして、複数のシート状物保持具の湾曲断面の中間部の前記スペース枠８と向き合う面側に押付け材１０を固着し、且つ該押付け材１０の前記スペース枠８と向き合う面側に防滑性と緩衝性のある被覆材１０ａを施したものとしている。
【００６３】
そして、図２１に示すように、複数のシート状物保持具Ｈを固着した押付け材１０のフランジ寄り部を指先で押付け凹ませることにより、押付け材１０との間に大判の掲示シート状物ｓｃを差し込むための長さの長い差込み空間が容易にできる。そして、この差込み空間部に掲示シート状物ｓｃを差し込むことにより、前記シート状物保持具Ｈの側圧力の面状接触による綴じ込みが簡単にできるものとしている。そして、押付け材１０のフランジ寄り部の指を離すと差し込み保持された掲示シート状物ｓｃを反発力により自動的に押付け保持するものとしている。
そして、これらにより、図１３に示すような差込み保持型のシート状物保持部材Ｃを本発明のシート状物掲示装置Ｃ１の基本構成材として構成するものとしている。
【００６４】
ここで、取付け板６およびスペース枠８の材質は、樹脂製または金属製のものが好ましい。また、取付け板６の寸法は、特に限定するものではないが、例えば板幅５０ミリほど板厚１０ミリほどのもので長さはシート状物に見合った寸法とする。また、スペース枠８の寸法は特に限定されるものではないが、例えば板幅１５ミリほど厚さ５ミリから１０ミリほどで隙間２の寸法を２０ミリから２５ミリほどとし、長さ寸法を差込み保持するシート状物の寸法に見合った寸法とする。また、スペース枠８に施した被覆材８ａは、前記筒状の輪１の外周面に施した防滑性と緩衝性のある被覆材１ａに準じたものとしている。
【００６５】
また、押付け材１０の材質は、樹脂製や金属製のものが好ましい。また、押付け材１０の寸法は、特に限定するものではないが、例えば幅寸法２０ミリほど、厚さ５ミリから１０ミリほどのもので、長さ寸法を差込み保持するシート状物の寸法に見合った寸法とする。そして、これらにより、図１３に示す差込み保持型のシート状物保持部材Ｃを第４の活用例としての本発明のシート状物掲示装置Ｃ１の基本構成材として構成するものとしている。
【００６６】
次ぎに、（その７）の本発明の第４の活用例としてのシート状物掲示装置Ｃ１について図に基づいて説明する。
本発明の差込み保持型のシート状物掲示装置Ｃ１は、図１４に示すように、本発明の差込み保持型のシート状物保持部材Ｃを基本構成材として支持フレーム６０ｃに上下に２段配設したことにより差込み保持型のシート状物掲示装置Ｃ１を構成するものが好ましい。
【００６７】
そして、支持フレーム６０ｃは、特に限定するものではないが、金属製や樹脂製や木製のもので、且つ保持するシート状物のサイズに見合ったサイズの形状寸法のもので、３０ミリから５０ミリほどの角型断面材のもので構成されるものが好ましい。そして、本発明の差込み保持型のシート状物保持部材Ｃの取り付けはビスなどにより所定の位置に着脱容易に取り付けするものが好ましい。そして、図２１に示すような要領により、手前側の掲示のシート状物ｓｃを差し込むだけで、抜き差しが簡単にできるものとしている。
【００６８】
次ぎに、（その８）の本発明の差込み保持型のシート状物保持部材Ｄについて図に基づいて説明する。
先ず、図１５から図１７に示すように、取付け板６ａに、略平行となる間隔をもって形成された隙間２ａを形成するスペース枠１１を設け、該スペース枠１１には細長切抜き状の溝としての略平行となる間隔をもって形成された溝部２ｂを形成する。ここで、スペース枠１１は溝部２ｂのシート状物保持具Ｈと向かい合う面側に被覆材１１ａを施したものとしている。そして、連結紐４を介して前記の溝部２ｂに前記のシート状物保持具Ｈを正面側から挿入する。これにより、図１７に示す差込み保持型のシート状物保持部材Ｄを垂れ幕状シート状物保持装置Ｄ１の基本構成材として構成するものとしている。
【００６９】
ここで、取付け板６ａおよびスペース枠１１の材質は、樹脂製や金属製のものが好ましい。また、取付け板６ａの寸法は、特に限定するものではないが、例えば幅寸法は７０ミリほど、厚さは１０ミリほどで、長さ寸法を差込み保持するシート状物の寸法に見合った寸法とする。また、スペース枠１１の寸法は、特に限定されるものではないが、例えば幅３０ミリほど、厚さ１０ミリほどで隙間２ａおよび溝部２ｂの寸法を１５ミリほどとし、長さ寸法を差込み保持するシート状物の寸法に見合った寸法とする。また、スペース枠１１に施した被覆材１１ａは、前記筒状の輪１の外周面に施した防滑性と緩衝性のある被覆材１ａに準じたものとしている。
【００７０】
そして、図１５から図１６に示すように、前記スペース枠１１の正面からシート状物ｓｂを被せ掛ける。そして、前記シート状物保持具Ｈにより前記溝部２ｂに差し込んだ垂れ幕状のシート状物ｓｂを前記シート状物保持具Ｈの弾発力と防滑性と緩衝性のある被覆材１１ａとによる押さえ込みと、前記シート状物ｓｂの折返し角部１１ｂの突っ張りとの相乗効果により的確に保持されるようにしている。そして、これらにより、長物の垂れ幕状シート状物ｓｂの中間部を抑えることにより弛みのない張りのある保持ができるようにしている。
そして、図１７に示すような本発明の差込み保持型のシート状物保持部材Ｄを第５の活用例としての本発明の垂れ幕状シート状物保持装置Ｄ１の基本構成材として構成するものとしている。
【００７１】
次ぎに、（その９）の本発明の第５の活用例としての垂れ幕状シート状物保持装置Ｄ１について図に基づいて説明する。
本発明の垂れ幕状シート状物保持装置Ｄ１は、図１８に示すように、本発明の差込み保持型のシート状物保持部材Ｄを基本構成材として支持フレーム６０ｅに上下に複数段配設したことにより垂れ幕状シート状物保持装置Ｄ１を構成するものが好ましい。
【００７２】
そして、支持フレーム６０ｅは、特に限定するものではないが、金属製や樹脂製や木製のもので、且つ保持するシート状物のサイズに見合った形状寸法のもので、３０ミリから５０ミリほどの角型断面材のもので構成されるものが好ましい。そして、本発明の差込み保持型のシート状物保持部材Ｄの取り付けはビスなどにより所定の位置に着脱容易に取り付けするものが好ましい。
【００７３】
以上により本発明のシート状物保持部材Ａ乃至Ｄと、シート状物保持装置Ａ１乃至Ｄ１について（その１）から（その９）により説明したが、次ぎに、本発明のシート状物保持装置Ａ１乃至Ｄ１の第１から第５の活用例における使い方について説明する。
先ず、第１の活用例としての垂れ幕状シート状物保持装置Ａ１の使い方については、図４に示すようにスペース枠８に垂れ幕状のシート状物ｓｂを被せてその端部を内側に折り返す。そして、その上からシート状物保持具Ｈを押し込んでシート状物ｓｂを押さえ込む。そして図３に示すように折り返し部をスペース枠８の角部８ｂでずれ落ちしないように突っ張り保持する。
そして、吊り下げ保持されたシート状物ｓｂの下段部についても上部に準じた要領で保持する。これにより、図５に示すように垂れ幕状シート状物のｓｂの取り付け取り外し装着が簡単にできるものとしている。また、前記シート状物保持具Ｈの面状接触部の押さえ込みと角部の引っ掛け食い込みとの相乗効果が働いて外れやずれ落ちのないように的確に保持することができる。
【００７４】
次ぎに、第２の活用例としてのバインダーＢ１および第３の活用例としての書類綴じ込みボードＢ２の使い方について図に基づいて説明する。
先ず、図７から図１０および図２０に示すように、シート状物ｓを取付け板６とシート状物保持具Ｈとの間に差し込み、突き当て材９に突き当てた状態で面状接触部の側圧力により保持する。これにより、シート状物ｓの綴じ込みおよび抜き差しが簡単にできるようにしている。
また、図２０に示すようにシート状物保持具Ｈを指先で凹ませて差し込み空間をつくり、仮綴じ込みのシート状物ｓａをスペース枠８とシート状物保持具Ｈの上側面との間に差し込み、前記シート状物保持具Ｈの面状接触部の側圧力により保持する。これにより、前記シート状物ｓの抜き差しの際にシート状物ｓａの仮綴じ込みが容易にできる。
【００７５】
また、シート状物ｓの中間ページの抜き差しおよび綴じ込み並びに仮綴じ込みが簡単にできる差込み保持の手順について図１９および図２０により説明する。
先ず、多数枚のシート状物ｓや硬めのシート状物ｓの差込みについては、図１９に示すように、シート状物保持具Ｈの端部に多数枚のシート状物ｓや硬めのシート状物ｓを差し込むと、シート状物ｓを指で捲り上げなくてもシート状物保持具Ｈが凹んでその端部が自働的に押し上げられることにより、多数枚のシート状物や硬めのシート状物ｓを差し込むだけで簡単に差込み保持ができる。
また、薄いシート状物や軟らかめのシート状物ｓの差込み保持においては、図１９に示すように、シート状物保持具Ｈの端部を指先で持ち上げ隙間をつくった状態で前記の薄いシート状物や軟らかめのシート状物ｓを差込むことにより差込み保持が簡単にできる。
【００７６】
また、中間ページの抜き差しについては、図１９に示すように、先ず中間ページを捲り返しその上から指先を当ててシート状物保持具Ｈの端部を持ち上げて抜き差しの空間をつくる。そして、図１９に示すように、抜き差しする中間ページのシート状物ｓを差し込みまたは引き抜くことにより中間ページの抜き差しが簡単にできる。
【００７７】
次ぎに、シート状物ｓを抜き差しする際に、手前側の隙間にシート状物ｓａの仮綴じ込みが簡単にできる手順について図２０により説明する。
先ず、図２０に示すようにシート状物保持具Ｈのフランジ寄りの湾曲断面部を指先で押付けて凹ませ、スペース枠８との間に差込み空間をつくる。そして、その差込み空間にシート状物ｓａを差し込むことにより図２０に示すようにシート状物ｓａの仮綴じ込みが簡単にできる。そして、図２０に示すように、前記シート状物保持具Ｈの両面の側圧力の面状接触により差込み保持する両面綴じ込みにより、シート状物ｓおよびｓａを孔あけすることなく差し込むだけで、綴じ込みおよび仮綴じ込みおよび抜き取りなどが簡単にできる。また、差し込むだけで１枚から数十枚の綴じ込みが簡単に且つ的確にできる。
【００７８】
次ぎに、第４の活用例における本発明のシート状物掲示装置Ｃ１の使い方について図に基づいて説明する。
先ず、図２１に示すように、押付け材１０のフランジ寄りに指先を当て、シート状物保持具Ｈの湾曲断面部を凹ませるように押付けて、該押付け材１０とスペース枠８との間に差込み空間をつくる。そして、その差込み空間に図２１に示すようにシート状物ｓｃを差し込む。
ここで、シート状物ｓｃを差し込む際には、図１２および図１３に示すように複数のシート状物保持具Ｈが押付け材１０に連結されているので、押付け材１０を指先で押すと複数のシート状物保持具Ｈが同時に押付けられた状態で差込み空間ができる。そして、押付け材１０との間に大判の掲示シート状物ｓｃを差し込むための長さの長い差込み空間が容易にできる。そして、これによって、大判の掲示物でも差し込み掲示が簡単にできる。
【００７９】
次ぎに、第５の活用例における本発明の垂れ幕状シート状物保持装置Ｄ１の使い方について図に基づいて説明する。
先ず、図１６に示すように、垂れ幕状のシート状物ｓｂをスペース枠１１の正面から溝部２ｂを塞ぐような状態で覆い被せるように立面状に当てる。そしてシート状物保持具Ｈを覆い被せたシート状物ｓｂの正面側から溝部２ｂも当てて押込む。ここで、シート状物ｓｂは、図１６に示されるように溝部２ｂ両面の角部１１ｂの突っ張りと面状押付け接触の相乗効果により的確に保持される。
【００８０】
また、図１８に示されるように、シート状物保持部材Ｄを支持フレーム６０ｅに複数個配設して長尺の垂れ幕状シート状物ｓｂの中間部を差し込み保持することにより、長尺の垂れ幕状シート状物ｓｂを弛みなくピシッとした状態で張設保持ができる。また、本発明の垂れ幕状シート状物保持装置Ｄ１は、図５に示す本発明の垂れ幕状シート状物保持装置Ａ１に準じた張り方で張る使い方もできる。
【産業上の利用可能性】
【００８１】
本発明の差込み保持型のシート状物保持具、およびこれを活用したシート状物保持部材、およびシート状物保持装置においての主なる利用可能性としては、第１の活用例としての垂れ幕状シート状物保持装置Ａ１として、また、第２の活用例としての差込み保持型のバインダーＢ１として、また、第３の活用例としての差込み保持型の書類綴じ込みボードＢ２として、また、第４の活用例としてのシート状物掲示装置Ｃ１として、また、第５の活用例としての差込み保持型の垂れ幕状シート状物保持装置Ｄ１として等のシート状物保持装置として利用できる。そして、これらの各々について説明すると下記の如くである。
【００８２】
本発明の差込み保持型のシート状物保持具およびこれを活用したシート状物保持部材およびシート状物保持装置においては、第１の活用例として、図５に示すように、垂れ幕状の紙シートや、薄手のビニールシートや、布シートなどを隙間２に差し込むと共にシート状物保持具Ｈで押さえ込むだけで、簡単に差しこみ保持ができる本発明の差込み保持型の垂れ幕状シート状物保持装置Ａ１として利用できる。
【００８３】
また、第２およびの第３の活用例として、図９およびに図１０に示すように、帳票や文書類などのシート状物を孔あけすることなく、隙間２に差し込むと共にシート状物保持具Ｈで押さえ込むだけで、綴じ込みおよび抜き差しおよび仮綴じ込みおよび中間ページの抜き差しなどが簡単にできる本発明の差込み保持型のバインダーＢ１および本発明の書類綴じ込みボードＢ２として利用できる。
また、種々の形状寸法のメモ用紙などの手軽な綴じ込みや抜き差しが簡単にできる便利なメモ用紙保持用具などとして利用できる。
【００８４】
また、第４の活用例として、図１４に示すように、図面や広告などの大判のシート状物を隙間２に差し込むと共に押付け材１０で連結したシート状物保持具Ｈで押さえ込むだけで、簡単に差し込み保持できる本発明の差込み型のシート状物掲示装置Ｃ１として利用できる。
【００８５】
また、第５の活用例として、図１８に示すように、垂れ幕状の紙シートや、薄手のビニールシートや、布シートなどを溝部２ｂに差し込むと共にシート状物保持具Ｈで押さえ込むだけで、簡単に且つピシッと差しこみ保持ができる本発明の差込み保持型の垂れ幕状シート状物保持装置Ｄ１として利用できる。
【図面の簡単な説明】
【００８６】
【図１】本発明のシート状物保持具Ｈの斜視図である。
【図２】本発明のシート状物保持部材Ａの要部詳細斜視図。
【図３】本発明のシート状物保持部材Ａで垂れ幕状のシート状物ｓｂを保持    した状態の要部詳細斜視図。
【図４】本発明のシート状物保持部材Ａで垂れ幕状のシート状物ｓｂを保持    した状態の斜視図。
【図５】本発明のシート状物保持部材Ａを基本構成材として支持フレーム６０ｄに配    設した本発明の垂れ幕状シート状物保持装置Ａ１の斜視図。
【図６】本発明のシート状物保持部材Ｂの要部詳細斜視図。
【図７】本発明のシート状物保持部材Ｂでシート状物ｓおよびｓａ    を保持した状態の要部詳細斜視図。
【図８】本発明のシート状物保持部材Ｂでシート状物ｓおよびｓａ    を保持した状態の斜視図。
【図９】本発明のシート状物保持部材Ｂを基本構成材として見開き型の表紙板６０ａ    に備えた本発明の差込み保持型のバインダーＢ１の斜視図。
【図１０】本発明のシート状物保持部材Ｂを基本構成材としてボード６０ｂに備えた    本発明の差込み型の書類綴じ込みボードＢ２の斜視図。
【図１１】本発明のシート状物保持部材Ｃの要部詳細斜視図。
【図１２】本発明のシート状物保持部材Ｃでシート状物ｓｃを保持した状態    の要部詳細斜視図。
【図１３】本発明のシート状物保持部材Ｃでシート状物ｓｃを保持した状態    の斜視図。
【図１４】本発明のシート状物保持部材Ｃを基本構成材として支持フレーム６０ｃに    配設した本発明の差込み型のシート状物掲示装置Ｃ１
【図１５】本発明のシート状物保持部材Ｄの要部詳細斜視図。
【図１６】本発明のシート状物保持部材Ｄで、垂れ幕状シート状物ｓｂを保    持した状態の要部詳細斜視図。
【図１７】本発明のシート状物保持部材Ｄで垂れ幕状シート状物ｓｂを保持    した状態の斜視図。
【図１８】本発明のシート状物保持部材Ｄを基本構成材として支持フレーム６０ｅに    配設した本発明の垂れ幕状シート状物保持装置Ｄ１の斜視図。
【図１９】本発明の差込み保持型のバインダーＢ１および書類綴じ込みボードＢ２に    おいて、シート状物ｓの中間ページの抜き差しの要領を示す要部詳細斜視図    。
【図２０】本発明の差込み保持型のバインダーＢ１および書類綴じ込みボードＢ２に    おいて、仮綴じ込みのシート状物ｓａの抜き差しの要領を示す要部詳細斜視    図。
【図２１】本発明の差込み型のシート状物掲示装置Ｃ１において、シート状物ｓ    ｃの抜き差しの要領を示す要部詳細斜視図。
【図２２】従来型のポスター掲示用クリップ（商品名サインクリップ）の断面詳細図    。
【符号の説明】
【００８７】
１  筒状の輪
１ａ  被覆材
１ｂ  フランジ
２  隙間
２ａ  隙間
２ｂ  溝部
４  連結紐
５  連結留め材
６  取付け板
６ａ  取付け板
８  スペース枠
８ａ  スペース枠に施した被覆材
８ｂ  スペース枠の折り返し角部
９  突き当て材
１０  押付け材
１０ａ  押付け材に施した被覆材
１１  スペース枠
１１ａ  スペース枠に施した被覆材
１１ｂ  スペース枠の溝の角部
６０ａ  バインダーＢ１の見開き型の表紙板
６０ｂ  書類綴じ込みボードＢ２のボード
６０ｃ  シート状物掲示装置Ｃ１の支持フレーム
６０ｄ  垂れ幕状シート状物保持装置Ａ１の支持フレーム
６０ｅ  垂れ幕状シート状物保持装置Ｄ１の支持フレーム
Ａ  垂れ幕状シート状物保持装置の基本構成材としてのシート状物保持部材
Ｂ  バインダーおよび書類綴じ込みボードＢ２の基本構成材としてのシート状物保持部材
Ｃ  シート状物掲示装置の基本構成材としてのシート状物保持部材
Ｄ  垂れ幕状シート状物保持装置の基本構成材としてのシート状物保持部材
Ａ１  本発明の第１の活用例の垂れ幕状シート状物保持装置
Ｂ１  本発明の第２の活用例のバインダー
Ｂ２  本発明の第３の活用例の書類綴じ込みボード
Ｃ１  本発明の第４の活用例のシート状物掲示装置
Ｄ１  本発明の第５の活用例の垂れ幕状シート状物保持装置
Ｈ  本発明のシート状物保持具
ｓ  シート状物
ｓａ  シート状物
ｓｂ  シート状物
ｓｃ  シート状物
ｋｕ  従来型のポスター掲示用クリップ（商品面サインクリップ）
【図１】
0004296574.tif 000002
【図２】
0004296574.tif 000003
【図３】
0004296574.tif 000004
【図４】
0004296574.tif 000005
【図５】
0004296574.tif 000006
【図６】
0004296574.tif 000007
【図７】
0004296574.tif 000008
【図８】
0004296574.tif 000009
【図９】
0004296574.tif 000010
【図１０】
0004296574.tif 000011
【図１１】
0004296574.tif 000012
【図１２】
0004296574.tif 000013
【図１３】
0004296574.tif 000014
【図１４】
0004296574.tif 000015
【図１５】
0004296574.tif 000016
【図１６】
0004296574.tif 000017
【図１７】
0004296574.tif 000018
【図１８】
0004296574.tif 000019
【図１９】
0004296574.tif 000020
【図２０】
0004296574.tif 000021
【図２１】
0004296574.tif 000022
【図２２】
0004296574.tif 000023